(57)【特許請求の範囲】
【請求項１】
出力画を印字するための記録紙を格納するための記録紙カセットまたはトレイを複数具備し、それぞれに異なる長さの記録紙を格納可能なファクシミリ装置において、
区切り用紙として使用する記録紙が格納される記録紙カセットまたはトレイを選択しておき、通常の印刷を行うとき、区切り用紙として選択されている記録紙のサイズとは異なるサイズの記録紙が格納された記録紙カセットまたはトレイを選択する選択手段と、
通常印刷の際に選択した記録紙カセットまたはトレイに格納された記録紙と、区切り用紙として使用するように選択した記録紙カセットまたはトレイに格納された記録紙との長さの差を判定し、区切り用紙として使用する記録紙に対し、その先端から判定した長さ差分のレポートデータを作成するレポート作成手段とを備えたことを特徴とするファクシミリ装置。
【発明の詳細な説明】
【０００１】
【発明の属する技術分野】
本発明は、ファクシミリ等の印字出力が行える装置に関し、特に複数の記録紙カセットまたは記録紙トレイを有するファクシミリ装置に関する。
【０００２】
【従来の技術】
従来の技術としては、特開平３−２７０５６０号公報があり、詳細は受信画の出力に関して、ある通信で得られた画信号に基づく記録出力からその次で得られる画信号の記録出力への移行に際して、給紙手段の切り替えを行い２つの受信の区切を識別可能にする方法である。それらには以下の方法がある。
【０００３】
給紙部１と給紙部２には識別可能な記録紙が格納されている。すなわち、ある受信での受信画の記録が終了し、その次の受信画の記録を開始するときすなわち第１ページの印字を行なう時に給紙手段を切り替え、前通信で使用した記録紙と識別可能な記録紙に記録を行なうことで受信画の区切を示すことが出来る。
【０００４】
この場合、第１ページとそれ以降または受信単位で記録紙の切り替えを行なえば区切が明確になる。記録紙の識別を可能にする手段としては、色・サイズ・厚さなどがある。
【０００５】
【発明が解決しようとする課題】
従来技術では、受信画の第１ページとそれ以降のページの用紙の特徴を変えることにより、区切を明確にするものであったが、この特徴を変えることに関して、用紙サイズを変えると後の文書ファイリングで整理しづらい、用紙の色を変えるとファイリングでは問題無いが用紙コストが高くなるなどの問題が生じる。
【０００６】
本発明は上記２点の問題を解決しつつ、かつ文書の区切を明確に出来ることを特徴としている。
【０００７】
本発明は、複数の記録紙カセットまたは記録紙トレイを持つプリンタ部を備えているファクシミリまたはそれに準ずる通信機器にて、複数の相手先からの受信原稿やコピー、リスト類といったプリンタからの複数の出力文書の分類を容易にするために各文書の間に区切用紙を挿入する動作に関して、ユーザーの操作性の向上を図ったものである。
【０００８】
【課題を解決するための手段】
上記目的を達成するために、本発明は、出力画を印字するための記録紙を格納するための記録紙カセットまたはトレイを複数具備し、それぞれに異なる長さの記録紙を格納可能なファクシミリ装置において、
区切り用紙として使用する記録紙が格納される記録紙カセットまたはトレイを選択しておき、通常の印刷を行うとき、区切り用紙として選択されている記録紙のサイズとは異なるサイズの記録紙が格納された記録紙カセットまたはトレイを選択する選択手段と、
通常印刷の際に選択した記録紙カセットまたはトレイに格納された記録紙と、区切り用紙として使用するように選択した記録紙カセットまたはトレイに格納された記録紙との長さの差を判定し、区切り用紙として使用する記録紙に対し、その先端から判定した長さ差分のレポートデータを作成するレポート作成手段とを備えたことを特徴とするファクシミリ装置とを備えるよう構成したものである。
【００１２】
【発明の実施の形態】
図１は本発明の一実施例であるファクシミリ装置におけるブロック図であり、図６はその処理フローである。同図においてＣＰＵ１は全ての制御を管理している。
【００１３】
まずオペレータにより区切用紙の挿入指定がパネル操作部８より行われると（Ｓ１）その情報に基づき区切用紙として使用するカセットまたはトレイの情報が用紙情報記憶部６に記憶される（Ｓ７）。この場合記憶する用紙情報はオペレータが指定してもよいし、装置が用紙判別部４にて判別した用紙情報を基に決定した情報（Ｓ１〜Ｓ６）であってもよい。
【００１４】
（１）次にＣＰＵ１は回線１２からの着信情報により受信制御部１１を制御し、順次受信画像を印字制御部５を経てプリンタ部１３へ出力する。印字最終ページ判定部３は印字制御部５からの情報にて受信の最終ページの印字出力が終了したかを判定し（Ｓ８）、終了した場合には用紙切替え制御部２を制御する。
【００１５】
用紙切替え制御部２は前記にて決定された区切用紙情報を用紙情報記憶部６より読み出し（Ｓ１４）、所定のカセットまたはトレイへの切替えを行なった後（Ｓ１５）、区切用紙排出信号を印字制御部５へ出し、印字制御部５はプリンタ部１３を駆動して区切用紙の出力を行なう（Ｓ１７）（図２及び図３）。
【００１６】
（２）受信の場合において通信結果レポートを出力する場合には受信制御部１１にて最終ページの受信を検出すると、結果情報をレポート作成部１０が判定して所定のレポートデータを作成するが、この場合用紙切替え制御部２は前記にて決定された区切用紙情報を用紙情報記憶部６より読み出し（Ｓ１４）、所定のカセットまたはトレイへの切替えを行なった後（Ｓ１５）、レポート出力信号を印字制御部５へ出す。
【００１７】
印字制御部５はこの信号に基づきレポート作成部１０が作成したレポートデータをプリンタ部１３へ出力しレポートの印字が行われる（Ｓ１８）。この時用紙は区切用紙として指定したカセットまたはトレイのものが使用される為、レポートは区切用紙となり得る（図４）。
【００１８】
（３）またレポート作成部１０はレポートの作成を行なうとき、用紙情報記憶部６から区切用紙情報を読み出し、受信画像にて使用している用紙との長さの差を判定し用紙先端からその差分の長さのレポートデータを作成することにより、受信情報と受信画像の区切をさらに容易にすることが出来る（図５）。
【００１９】
（４）以上は特に受信についての実施例であるが、近来のファクシミリ装置ではコピーやプリンタとしての印字出力機能を有している。従って、記録紙排出部にはそれら全ての画像が蓄積されていくことになり受信画像の区切のみ行なっても十分な効果は得られない。
【００２０】
例えばコピーの場合においても同様の区切用紙挿入を行なうことができる。オペレータによりパネル操作サブ部８よりコピー操作が行われると、ＣＰＵ１はコピー制御部９を駆動する。コピー制御部９はスキャナ制御部７及び印字制御部５を制御してスキャナより読み取った画像をプリンタ部１３へ出力するが、この場合にも同様に印字最終ページ判定部３が最終ページの印字終了を検出すると、用紙切替え制御部２を制御する。
【００２１】
以降（１）と同様の手法でコピー終了後にも区切用紙を出力することが出来る。プリンタとしての印字動作の場合においても同様である。したがって、（１）〜（４）の制御を行なうことで、ファクシミリ装置がプリンタへ出力する全ての画像について区切用紙を挿入することが出来る。
【００２２】
（５）（１）〜（４）の制御において通常の印字を行なう場合、適当な用紙の収められたカセットまたはトレイを選択する際に、印字制御部５は用紙情報記憶部６から用紙情報を読み出すが、この時同時にその用紙が区切用紙に指定されているか判定を行ない（Ｓ１０）、区切用紙に指定されている場合にはこれを使用しないよう判定することで、区切用紙と通常印字用紙を分けておくことが可能となる。
【００２３】
また、近来のファクシミリ装置ではコピー・通信・プリンタといった複数の印字出力機能を有したものが多いが、上記区切用紙をこれら全ての印字出力において実施することで、出力された全ての文書について区切を明確にすることが可能である。
【００２７】
【発明の効果】
以上のように、本発明によれば、特に区切用紙サイズが通常の印字用紙に比べて記録紙の排出方向に対して長いものである場合、区切用紙と印字用紙の後端をそろえた場合の差（印字用紙先端よりはみ出る）の部分に通信結果情報を記録することにより、後端をそろえた場合容易に通信の内容とその受信用紙を取り出すことが可能となる。
【図面の簡単な説明】
【図１】本発明にかかるファクシミリ装置の構成図である。
【図２】本発明の実施例を示す図（その１）である。
【図３】本発明の実施例を示す図（その２）である。
【図４】本発明の実施例を示す図（その３）である。
【図５】本発明の実施例を示す図（その４）である。
【図６】本発明の動作を示すフローチャートである。
【符号の説明】
１  ＣＰＵ
２  用紙切替え制御部
３  プリンタ部
４  用紙判別部
５  印字制御部
６  用紙情報記憶部
７  スキャナ部
８  パネル操作部
９  コピー制御部
１０  レポート作成部
１１  受信制御部
１２  回線
【図１】
0003604896.tif 000002
【図２】
0003604896.tif 000003
【図３】
0003604896.tif 000004
【図４】
0003604896.tif 000005
【図５】
0003604896.tif 000006
【図６】
0003604896.tif 000007